(57)【特許請求の範囲】
【請求項１】
コインを立てた状態で仮貯留する仮貯留部材を、仮貯留位置と転出位置との間で左右に往復動し得るように固定基板に取り付け、仮貯留部材が仮貯留位置にある状態ではコインを下方から支持し仮貯留部材からコインが排出されることを規制すると共に仮貯留部材が転出位置に移動した状態ではコインに対する支持を解きコインが仮貯留部材から下方に転出されることを許容するストッパ部材を固定基板に設け、且つ仮貯留部材が仮貯留位置から転出位置に向かう移動開始に連動して所定の付勢力でコインの平面部分に押接される係止片を固定基板に取り付けると共に仮貯留されたコインの枚数が所定の枚数より少ない場合には係止片に係合して仮貯留部材の転出位置への移動を禁止するが、仮貯留されたコインの枚数が所定の枚数である場合にはコインに隠され係止片に係合しない係止部を仮貯留部材に形成したことを特徴とするコイン計数装置。
【請求項２】
上記仮貯留部材に所定枚数のコインの上にその枚数を超える余剰コインが載置されるように構成され、この余剰コインが載置されている状態で仮貯留部材が転出位置へ移動する際、余剰コインの移動を禁止して余剰コインを仮貯留部材から排除するスクレーパを設けたことを特徴とする請求項１記載のコイン計数装置。
【請求項３】
上記仮貯留されるコインの所定枚数を増減設定する枚数調節機構を設けたことを特徴とする請求項１又は２記載のコイン計数装置。
【発明の詳細な説明】
【０００１】
【発明の属する技術分野】
本発明は、例えば、カプセル入りの玩具等を販売する自動販売機に用いられるコイン計数装置に関する。なお、本明細書において「コイン」とは硬貨に限定されず、ゲームコイン等をも含む広い概念である。
【０００２】
【従来の技術】
従来、例えば手動式の自動販売機に用いられるものとして、実開平２−１３３７７４号公報に記載のような、偽硬貨か否かを判別するとともに、コインを計数する装置が知られている。この装置では、偽硬貨を排除するため、偽硬貨を自動的に排出させたり、偽硬貨の場合に、玩具等を取り出すための操作つまみを回動させないような構造となっている。また、この装置では、所定枚数のコインが投入されたかどうかを判別している。
【０００３】
【発明が解決しようとする課題】
上記従来の装置では、偽硬貨であるかの判別を主に硬貨の直径や重さで行っているが比較的精巧な偽硬貨が使用された場合に判別することは困難である。そこで、従来、特開昭５２−４６０００号公報等に記載のような精巧な硬貨選別装置が考えられている。しかし、この硬貨選別装置は硬貨計数の機能はなく、この硬貨選別装置に、さらに実開平２−１３３７７４号公報に記載の硬貨計数装置を組み合わせて用いるとすれば、大きな設置スペースが必要となってしまう。
【０００４】
そこで本発明は、上記の問題点に鑑み、構造が簡素で設置場所が小さくて済むコイン計数装置を提供すること、及び、コインの真偽を判別するコイン選別装置に組み合わせて用いても有効なコイン計数装置を提供することを課題とする。
【０００５】
【課題を解決するための手段】
上記課題を解決するために本発明は、コインを立てた状態で仮貯留する仮貯留部材を、仮貯留位置と転出位置との間で左右に往復動し得るように固定基板に取り付け、仮貯留部材が仮貯留位置にある状態ではコインを下方から支持し仮貯留部材からコインが排出されることを規制すると共に仮貯留部材が転出位置に移動した状態ではコインに対する支持を解きコインが仮貯留部材から下方に転出されることを許容するストッパ部材を固定基板に設け、且つ仮貯留部材が仮貯留位置から転出位置に向かう移動開始に連動して所定の付勢力でコインの平面部分に押接される係止片を固定基板に取り付けると共に仮貯留されたコインの枚数が所定の枚数より少ない場合には係止片に係合して仮貯留部材の転出位置への移動を禁止するが、仮貯留されたコインの枚数が所定の枚数である場合にはコインに隠され係止片に係合しない係止部を仮貯留部材に形成した。
【０００６】
このコイン計数装置は、コインを真偽を判別するコイン選別装置と組み合わせて用いることができる。この場合のコイン選別装置としては、例えば特開昭５２−４６０００号公報や特開昭５２−５７８９４号公報等により知られたコイン選別装置等を用いることが好ましい。このようにすれば、コイン選別装置により選別されたコインを計数させることができる。このようにコイン選別装置と組み合わせれば、コインの真偽の判定が必須である自動販売機等にも容易に組み込むことが可能となる。この場合、例えば商品排出のための操作つまみを仮貯留部材に連結しておけば所定の枚数のコインが投入されるまで操作つまみを操作することができないようにすることができる。なお、この場合、当然のことながら、偽コインが投入された場合にはコイン選別装置により判別され偽コインが仮貯留されることはない。
【０００７】
なお、このコイン計数装置にスクレーパを設けるとともに、仮貯留されている所定枚数のコイン上に余剰コインが載置されるように構成し、この状態で仮貯留部材が転出位置へ移動する際、スクレーパにより、余剰コインの移動を禁止して余剰コインを仮貯留部材から排除するようにしてもよい。
【０００８】
また、上記仮貯留されるコインの所定枚数を増減設定する枚数調節機構を設けてもよい。
【０００９】
【発明の実施の形態】
図１を参照して、１は操作つまみが取り付けられる回動軸であり、固定基板ＢＰに回動自在に取り付けられている。また、該回動軸１には扇形のカム１１が一体に形成されている。回動軸１の近傍にはラチェット爪１２が取り付けられており、回動軸１が本図において左回転しないように、回動軸１に一体に形成されたラチェット（図示せず）に係合する。２は連結レバーであり、固定基板ＢＰに形成した揺動軸２１を中心に揺動自在に取り付けられている。該連結レバー２の上端部２２はカム１１に当接している。そして、回動軸１が本図において右方向に回動されるとカム１１に上端部２２が左方向に押される。そのため連結レバー２の下端に形成した連結ピン２３は右方向に移動する。該連結ピン２３は仮貯留部材であるストッカ３に係合している。ストッカ３は固定基板ＢＰに対して左右方向に往復自在に保持されており、連結ピン２３が右方向に移動するとストッカ３は連動して本図において右方向に移動する。但し、ストッカ３に所定枚数の硬貨が貯留されていないと係合片４の作用によりストッカ３の右方向への移動が禁止される。するとカム１１は上端部２２によって規制され回動軸１を右回りに回動させることができなくなる。尚、係合片４は上下に突出した支持軸４０によって固定基板ＢＰに対して揺動自在に取り付けられている。また、係合片４の尾端部４ａと固定基板ＢＰとの間にはコイルばね４ｂが縮設されている。図１において１０は硬貨選別装置であり固定基板ＢＰに取り付けられている。硬貨選別装置１０にはリリースレバー１０ａが設けられており（図１及び図２）、このリリースレバー１０ａはばね（図示せず）によって上方へ付勢されている。そして、固定基板ＢＰに上下方向に移動自在に取り付けられたストッパ部材５を一体に形成した突起５１を摘んで下方に押し下げるとストッパ部材５の上端５２がリリースレバー１０ａをばね力に抗して押し下げ、硬貨選別装置１０内に引っ掛かった硬貨や偽硬貨を強制的に排出させることができる。また、ストッパ部材５の下端にはストッパ部５３が形成されており、硬貨選別装置１０からストッカ３に正規の硬貨が払い出された際に該硬貨をストッパ部５３で下方から支持し硬貨がストッカ３から脱落しないようにしている。
【００１０】
図２を参照して、硬貨選別装置１０に対してＡ矢印に沿って硬貨が投入されると該硬貨選別装置１０内で選別され、所望する種類の正規の硬貨だけがＢ矢印に沿って払い出され、その他の種類の硬貨や偽硬貨はＣ矢印に沿って払い出される。また、Ｂ矢印に沿って払い出された硬貨であっても余剰の硬貨は最終的にはＤ矢印に沿って排出され、Ｃ矢印に沿って払い出された硬貨と同じにシュータＳ１を通って外部に戻される。ストッカ３は本図に示す仮貯留位置から左方向に設定された転出位置まで移動することができる。そして、ストッカ３が転出位置まで移動すると上記ストッパ部５３による硬貨に対する支持が無くなり、仮貯留されていた硬貨はＥ矢印に沿ってシュータＳ２を通って貯留容器（図示せず）に転出される。尚、１３はギアであり、回動軸１が回動することによって例えばカプセルの排出機構（図示せず）を作動させるためのものである。
【００１１】
図３を参照して、ストッカ３は固定基板ＢＰと該固定基板ＢＰに取り付けられるカバー板ＣＰとに挟まれることにより左右方向に移動自在に保持される。ストッカ３の左端にはコ字状の仮貯留部６が一体に形成されている。また、仮貯留部６の更に左側には押さえ部３１が形成されている。該押さえ部３１はストッカ３が仮貯留位置にある状態で係合片４のカム部４２を押し、係合片４の先端４１が固定基板Ｂの面より手前側に突出しないようにしている。ストッカ３が左方向、即ち転出位置に向かって移動を開始すると押さえ部３１はカム部４２から離れるため先端４１は仮貯留部６内へ向かって移動する。仮貯留部６内に所定枚数の硬貨が仮貯留されていないとコイルばね４ｂの付勢力によって先端４１は大きく仮貯留部６内に進入し、仮貯留部６の右側壁面である係合部３２に係合し、ストッカ３がそれ以上転出位置に向かって移動することを禁止する。
【００１２】
図４に示すように、所定枚数の枚数（本実施の形態では２枚）の硬貨８ａが仮貯留部内に仮貯留されると先端４１は硬貨８ａの平面部分に当接して仮貯留部６内に進入することができない。そのため先端４１が係合部３２に係合することなくストッカ３は転出位置まで移動することができる。尚、２枚以上の硬貨が投入され余剰の硬貨８ｂが硬貨８ａ上に載った場合には、カバー板ＣＰに形成したクレーパ７が余剰の硬貨８ｂの移動を規制して仮貯留部６から落とし、図２に示したＤ矢印に沿って外部に戻すようにした。また、ストッパ部材５を押し下げるとストッパ部５３が下方に移動して仮貯留されている硬貨８ａや余剰の硬貨８ｂを上記Ｄ矢印に沿って排出し得るようにした。
【００１３】
ところで、仮貯留部６内には調節板６１が設けられており、該調節板６１と固定基板ＢＰとの間隔は調節つまみ６２を回動することにより調節板６１が進退して調節することができる。すなわち、所望する硬貨枚数を変えられるようになっている。この調節機構はカム式であってもよいし、ねじ式のものであってもよい。
【００１４】
図５にはカム式の調節機構が示され、図６にはカム線図が示されている。この調節機構について説明すれば、調節つまみ６２は、ストッカ３に固定された筒状部３３の端板３３ａを挟むように対峙するカム部３４に連結されている。図５において符号３４ａはカム面を示している。このカム面３４ａを展開すると図６に示すように形成されている。また、調節つまみ６２の軸（カム軸）３５には軸線方向に移動可能に調節板６１が取り付けられている。すなわち、軸３５の先端側にはねじ３６が螺合されており、このねじ３６のワッシャ３７と調節板６１の凹部６１ａとの間にはばねが介装されている。また、凹部６１ａ外側にはピン６１ｂが凸設され、このピンの先端はカム部に当接している。その結果、調節つまみ６２を回転させれば、調節板６１は筒状部３３に対して入出し、仮貯留する硬貨枚数を変更することができる。ここでは、特に限定はされないが、硬貨枚数を１枚〜４枚の間で調節できるようになっている。
【００１５】
以上のように本硬貨計数装置は、横方向に移動するストッカ３と係合片４とで硬貨の計数を行っているので、構造が簡素であり、かつ設置スペースが小さくて済むことになる。
【００１６】
以上、本発明の実施形態に係る硬貨計数装置について説明したが、本発明は硬貨計数装置に限定されず、ゲームコイン等を計数するコイン計数装置にも適用できる。また、本発明の実施形態に係る硬貨計数装置は硬貨選別装置と併せて用いているが、ゲームコイン等の場合にはコイン計数装置単独でも使用できる。
【００１７】
【発明の効果】
このように本コイン計数装置は、横方向に移動する仮貯留部材と係合片とで硬貨の計数を行っているので、構造が簡素であり、かつ設置スペースが小さくて済むことになる。
【図面の簡単な説明】
【図１】本発明の一実施の形態の構成を示す正面図
【図２】図１の背面図
【図３】ストッカの取り付け状態を示す分解斜視図
【図４】  IV−IV断面図
【図５】硬貨枚数の調節機構の構成を示す断面図
【図６】図５の調節機構のカムのカム線図
【符号の説明】
１  回動軸
２  連結レバー
３  ストッカ（仮貯留部材）
４  係合片
５  ストッパ部材
６  仮貯留部
７  スクレーパ
１０  硬貨選別装置
ＢＰ  固定基板
【図１】
0003905276.tif 000002
【図２】
0003905276.tif 000003
【図３】
0003905276.tif 000004
【図４】
0003905276.tif 000005
【図５】
0003905276.tif 000006
【図６】
0003905276.tif 000007